(57)【要約】【課題】かしめ保持力が高く、且つ取付対象に対する取付自由度が高い、電線と保持金具との接続構造を提供する。【解決手段】接続構造１０が、長手方向Ｘに延びる電線２０と、電線２０を保持する保持金具３０とを備える。保持金具３０が、電線２０にかしめ固定されたかしめ固定部５０と、取付対象に取り付けられる被取付部６０とを含む。かしめ固定部５０が、巻回始端５０ｓから巻回終端５０ｅまで電線２０の周囲に所定の巻き方向Ｒに一回りを超えて巻回されて重合領域ＯＬを形成している。被取付部６０が、巻回始端５０ｓと接続されている。かしめ固定部５０の少なくとも一部と被取付部６０の少なくとも一部とは、電線２０の長手方向Ｘの位置が重なっている。【選択図】図１
2020021568.tif 000002
【特許請求の範囲】
【請求項１】
長手方向に延びる電線と、
巻回始端から巻回終端まで前記電線の周囲に所定の巻き方向に一回りを超えて巻回されて重合領域を形成する状態で前記電線にかしめ固定されたかしめ固定部と、前記巻回始端と直接又は介在部を介して間接的に接続され、取付対象に取り付けられる被取付部と、を含む保持金具と、を備え、
前記かしめ固定部の少なくとも一部と前記被取付部の少なくとも一部とは、前記電線の前記長手方向の位置が重なっている、電線と保持金具との接続構造。
【請求項２】
請求項１に記載の電線と保持金具との接続構造であって、
前記介在部が、前記巻回始端に沿って前記電線の前記長手方向と平行に延びる第１接続縁を介して前記巻回始端と接続された第１板部と、第２接続縁を介して前記第１板部と交差状に接続され第３接続縁を介して前記被取付部と交差状に接続された第２板部と、を含む、電線と保持金具との接続構造。
【請求項３】
請求項１又は２に記載の電線と保持金具との接続構造であって、
前記電線の前記長手方向に沿って見て、前記かしめ固定部が、前記重合領域に配置されたコーナー部を含む多角形形状に形成されている、電線と保持金具との接続構造。
【発明の詳細な説明】
【技術分野】
【０００１】
本発明は、電線と保持金具との接続構造に関する。
【背景技術】
【０００２】
特許文献１に記載された端子金具は、所定形状に打ち抜いた金属板材を曲げ加工して形成されおり、長手に延びる基底部と、一対のカシメ片と、接続部と、アーム部とを備えている。
前記一対のカシメ片は、前記基底部の左右両側縁から延設され、シールド電線のシースの外周上に折り返された編組線を介してシースにかしめられる。
【０００３】
前記接続部は、前記基底部における前記カシメ片よりも後方の領域において、前記基底部の一方の側縁から延出されている。前記接続部に形成された接続孔に挿通されたボルト等が、アース部材に対して接続される。
前記アーム部は、前記基底部に対して前記接続部の反対側に配置されている。アーム部及びアーム部に隣接する基底部が、シースの外周の一部に巻かれる状態でシースにかしめられる。
【先行技術文献】
【特許文献】
【０００４】
【特許文献１】特開２００９−１１７２８６号公報
【発明の概要】
【発明が解決しようとする課題】
【０００５】
しかしながら、基底部の長手方向（電線の長手方向に相当）に関して、接続部の位置を、一対のカシメ片から離隔した位置に配置することが必要である。このため、電線を保持する端子金具が、電線の長手方向に大型化する。また、アーム部は、シースの外周の一部にしか巻かれておらず、かしめ保持力が弱い。
本発明の目的は、小型で、かしめ保持力が高い、電線と保持金具の接続構造を提供することである。
【課題を解決するための手段】
【０００６】
請求項１に記載の発明は、長手方向（Ｘ）に延びる電線（２０）と、巻回始端（５０ｓ）から巻回終端（５０ｅ）まで前記電線の周囲に所定の巻き方向に一回りを超えて巻回されて重合領域（ＯＬ）を形成する状態で前記電線にかしめ固定されたかしめ固定部（５０）と、前記巻回始端と直接又は介在部（６２；６３）を介して間接的に接続され、取付対象に取り付けられる被取付部（６０）と、を含む保持金具（３０；３０Ｐ；３０Ｑ）と、を備え、前記かしめ固定部の少なくとも一部と前記被取付部の少なくとも一部とは、前記電線の前記長手方向の位置が重なっている、電線と保持金具との接続構造（１０；１０Ｐ；１０Ｑ）を提供する。
【０００７】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、前記介在部が、前記巻回始端に沿って前記電線の前記長手方向と平行に延びる第１接続縁（６６）を介して前記巻回始端と接続された第１板部（６４）と、第２接続縁（６７）を介して前記第１板部と交差状に接続され第３接続縁（６８）を介して前記被取付部と交差状に接続された第２板部（６５）と、を含んでいてもよい。
【０００８】
請求項３に記載の発明のように、前記電線の前記長手方向に沿って見て、前記かしめ固定部が、前記重合領域に配置されたコーナー部（５７）を含む多角形形状に形成されていてもよい。
【発明の効果】
【０００９】
請求項１に記載の発明では、巻回始端から巻回終端まで所定の巻き方向に一回りを超えて巻回されたかしめ固定部が、重合領域を形成する状態で電線にかしめ固定されている。このため、かしめ固定部の開きが抑制されて、かしめ保持力が高くなる。また、被取付部が、巻回始端と直接又は介在部を介して間接的に接続されており、被取付部の少なくとも一部と、かしめ固定部の少なくとも一部とは、電線の長手方向に関する位置が重なっている。このため、小型化を達成することができる。
【００１０】
請求項２に記載の発明では、第１接続縁と第２接続縁との位置関係や、第２接続縁と第３接続縁との位置関係や、第１板部と第２板部との交差角度や、第２板部と被取付部との交差角度の設定により、取付対象に対して所要の取付位置や所要の取付角度を得ることができる。このため、小型化を達成しつつ、取付の自由度を向上することができる。
請求項３に記載の発明では、多角形形状を形成するかしめ固定部において、重合領域に配置されたコーナー部では、重合内側部分の開きが重合外側部分によって抑制される。このため、かしめ保持力を向上することができる。
【図面の簡単な説明】
【００１１】
【図１】図１（ａ）及び（ｂ）は、本発明の第１実施形態に係る、電線と保持金具との接続構造の別角度からの概略斜視図である。
【図２】電線の概略断面図である。
【図３】電線と保持金具との接続構造の概略断面図である。
【図４】図４（ａ）〜（ｆ）は、電線と保持金具との接続方法を順次に示す工程図である。
【図５】図５（ａ）及び（ｂ）は、前記接続方法の最終行程であるかしめ工程において、かしめ前の状態とかしめ完了後の状態とを順次に示している。
【図６】図６（ａ）〜（ｄ）は、前記接続方法の最終行程であるかしめ工程における、保持金具素材の状態変化を順次に示す概略図である。
【図７】図７は、本発明の第２実施形態に係る、電線と保持金具との接続構造の概略平面図である。
【図８】図８は、本発明の第３実施形態に係る、電線と保持金具との接続構造の概略斜視図である。
【図９】図９は、第３実施形態における保持金具の別角度からの一部破断斜視図である。
【発明を実施するための形態】
【００１２】
以下、本発明を具体化した実施形態を図面に従って説明する。
（第１実施形態）
図１（ａ）及び（ｂ）は、本発明の第１実施形態に係る電線と保持金具との接続構造１０の互いに別角度からの概略斜視図である。図２は、かしめ前の電線としてのシールド電線２０の概略断面図である。図３は、電線と保持金具との接続構造１０（以下では、単に接続構造１０とも言う）の概略断面図である。
【００１３】
図１（ａ）、（ｂ）及び図３に示すように、接続構造１０は、長手方向Ｘに延びるシールド電線２０と、保持金具３０と、スリーブ４０とを備えている。
まず、図２を参照して、シールド電線２０について説明する。シールド電線２０は、複数の被覆電線２１と、複数の被覆電線２１を包囲する筒状の編組線２２と、編組線２２を包囲する絶縁性のシース２３と、絶縁性の中心部材２４とを備えている。複数の被覆電線２１は、中心部材２４を包囲するように配置されている。各被覆電線２１は、導体部２１ａと、導体部２１ａを包囲する絶縁部２１ｂとを含む。
【００１４】
シールド電線２０の端部において、シース２３が皮剥ぎされている。シース２３の皮剥ぎ状態で露出された編組線２２の露出部が、折り返されてシース２３を包囲する筒状の折り返し部２２ａを形成している［図４（ｃ），（ｄ）も参照］。図３に示すように、スリーブ４０は、折り返し部２２ａの内側で、シース２３の外周２３ａに嵌合されている。すなわち、編組線２２の折り返し部２２ａが、シース２３を包囲している。
【００１５】
次いで、保持金具３０について説明する。
図１（ａ）及び（ｂ）に示すように、保持金具３０は、かしめ固定部５０と、被取付部６０とを備えている。保持金具３０は、板金材料で形成されている。かしめ固定部５０は、巻回始端５０ｓから巻回終端５０ｅまでシールド電線２０の折り返し部２２ａの周囲に所定の巻き方向Ｒ［図１（ａ），（ｂ）では時計回り］に一回りを超えて巻回されて重合領域ＯＬを形成する状態で、シールド電線２０に、かしめ固定されている。かしめ固定部５０は、折り返し部２２ａと導通可能に接触しており、保持金具３０は、グラウンド用の端子金具としても機能する。
【００１６】
図３に示すように、かしめ固定部５０は、シールド電線２０の長手方向Ｘに沿って見て、上底部５１と、上底部５１と平行な下底部５２と、第１脚部５３と、第２脚部５４とを含む台形形状を形成している。
かしめ固定部５０は、上底部５１と第１脚部５３との間に形成された湾曲状の第１上側コーナー部５５と、上底部５１と第２脚部５４との間に形成された湾曲状の第２上側コーナー部５６とを含む。また、かしめ固定部５０は、下底部５２と第１脚部５３との間に形成された湾曲状の第１下側コーナー部５７と、下底部５２と第２脚部５４との間に形成された湾曲状の第２下側コーナー部５８とを含む。
【００１７】
第１下側コーナー部５７に、巻回始端５０ｓが配置されている。下底部５２は、上底部５１よりも幅広である。下底部５２の途中部５２Ｐに、巻回終端５０ｅが配置されている。
かしめ固定部５０において、シールド電線２０の周方向に関して、巻回始端５０ｓから所定範囲の部分である重合外側部分ＯＬ１が、シールド電線２０の周方向に関して、巻回終端５０ｅから所定範囲の部分である重合内側部分ＯＬ２の外側に重合されて、重合領域ＯＬが形成されている。すなわち、重合領域ＯＬは、重合外側部分ＯＬ１と重合内側部分ＯＬ２とを含む。
【００１８】
かしめ固定部５０は、折り返し部２２ａの周囲に巻き方向Ｒに一回りを超えて巻回されて重合領域ＯＬを形成する状態で、折り返し部２２ａを介して、スリーブ４０にかしめ固定されている。
被取付部６０は、巻回始端５０ｓと直接連結された矩形板で形成されており、下底部５２と平行に外側へ延びている。被取付部６０は、巻回始端５０ｓに沿ってシールド電線２０の長手方向Ｘに延びる接続縁６０ａを介して巻回始端５０ｓと接続されている。かしめ固定部５０と被取付部６０は、シールド電線２０の長手方向Ｘに関して、重なる位置に配置されている。被取付部６０には、取付対象に取り付けるためのボルト（図示せず）が挿通される挿通孔６１が形成されている。
【００１９】
スリーブ４０は、金属製であり、かしめ固定部５０と相似の台形形状を形成している。スリーブ４０は、シールド電線２０の長手方向に沿って見て、上底部４１と、下底部４２と、第１脚部４３と、第２脚部４４とを含む台形形状を形成している。
スリーブ４０は、上底部４１と第１脚部４３との間に形成された湾曲状の第１上側コーナー部４５と、上底部４１と第２脚部４４との間に形成された湾曲状の第２上側コーナー部４６とを含む。また、スリーブ４０は、下底部４２と第１脚部４３との間に形成された湾曲状の第１下側コーナー部４７と、下底部４２と第２脚部４４との間に形成された湾曲状の第２下側コーナー部４８とを含む。
【００２０】
スリーブ４０の上底部４１が、かしめ固定部５０の上底部５１の内側に配置されており、スリーブ４０の下底部４２が、かしめ固定部５０の下底部５２の内側に配置されている。スリーブ４０の第１脚部４３が、かしめ固定部５０の第１脚部５３の内側に配置されており、スリーブ４０の第２脚部４４が、かしめ固定部５０の第２脚部５４の内側に配置されている。
【００２１】
また、スリーブ４０の第１上側コーナー部４５が、かしめ固定部５０の第１上側コーナー部５５の内側に配置されており、スリーブ４０の第２上側コーナー部４６が、かしめ固定部５０の第２上側コーナー部５６の内側に配置されている。スリーブ４０の第１下側コーナー部４７が、かしめ固定部５０の第１下側コーナー部５７の内側に配置されており、スリーブ４０の第２下側コーナー部４８が、かしめ固定部５０の第２下側コーナー部５８の内側に配置されている。
【００２２】
互いに対向する、かしめ固定部５０の第１下側コーナー部５７とスリーブ４０の第１下側コーナー部４７とは、重合領域ＯＬに配置される重合領域内コーナー部を構成している。
また、互いに対向する第１上側コーナー部５５と第１上側コーナー部４５とは、重合領域ＯＬの外に配置される重合領域外コーナー部を構成している。互いに対向する第２上側コーナー部５６と第２上側コーナー部４６とは、重合領域ＯＬの外に配置される重合領域外コーナー部を構成している。互いに対向する第２下側コーナー部５８と第２下側コーナー部４８とは、重合領域ＯＬの外に配置される重合領域外コーナー部を構成している。
【００２３】
次いで、シールド電線２０と保持金具３０とを接続する方法について、図４（ａ）〜（ｆ）並びに図５（ａ）及び（ｂ）を参照して、工程順に説明する。
まず、図４（ａ）及び（ｂ）に示されるスリーブ素材装着工程では、シールド電線２０のシース２３の外周２３ａに、スリーブ４０を形成するための円筒状のスリーブ素材４００をシールド電線２０の端末２０ａ側から嵌合させる。
【００２４】
次いで、図４（ｃ）に示されるシース除去工程では、シールド電線２０の端末２０ａから所定範囲において、シース２３を皮剥ぎして除去する。これにより、端末２０ａから所定範囲の編組線２２が露出される。
次いで、図４（ｄ）に示される編組線折り返し工程では、編組線２２の露出部分をスリーブ素材４００の外側へ折り返し、編組線２２の折り返し部２２ａを形成する。
【００２５】
次いで、図４（ｅ）及び（ｆ）にされる保持金具素材装着工程では、シールド電線２０の長手方向Ｘから折り返し部２２ａを包囲するように保持金具素材７０を装着する。
具体的には、保持金具素材７０は、被取付部６０に相当する平板状の第１板部７１と、第１下側コーナー部５７の外側部分に相当する円弧板状の第２板部７２と、下底部５２の外側部分に相当する平板状の第３板部７３と、円弧板状の第４板部７４とを含む。
【００２６】
第４板部７４は、第３板部７３に接続された基端部７４ａと、第２板部７２の内側に隙間を設けて近接され、巻回終端５０ｅを形成するための先端部７４ｂとを含む。平坦な第３板部７３と円弧板状の第４板部７４とによって形成された挿通空間Ｓ内に、シールド電線２０が挿通される。
次いで、図５（ａ）及び（ｂ）に示されるかしめ工程では、シールド電線２０が挿通された状態の保持金具素材７０が、かしめ型１００の下型８０上に配置された後、かしめ型１００の上型９０が下降されることにより、下型８０と上型９０との間に形成されたキャビティＣの内面によって台形状にかしめられる。
【００２７】
具体的には、下型８０は、それぞれキャビティＣの内面の一部を形成する、下底部形成部８１と、第１下側コーナー部形成部８２と、第２下側コーナー部形成部８３とを含む。また、下型８０は、型合わせ部８４と、被取付部６０に相当する第１板部７１を受ける座部８５とを含む。
上型９０は、それぞれキャビティＣの内面の一部を形成する、上底部形成部９１と、第１脚部形成部９２と、第２脚部形成部９３と、第１上側コーナー部形成部９４と、第２上側コーナー部形成部９５とを含む。また、上型９０は、型締め状態で下型８０の型合わせ部８４と当接される型合わせ部９６と、型締め状態で下型８０の座部８５との間で第１板部７１（被取付部６０）を挟持する挟持部９７とを含む。
【００２８】
ここで、図６（ａ）〜（ｄ）は、かしめ工程中における第４板部７４の状態変化を示す概略図である。図６（ａ）〜（ｄ）においては、簡略化のため、シールド電線２０とスリーブ４０との図示を省略してある。図６（ａ）に示される、かしめ前の状態から、図６（ｂ）に示すように、上型９０が少し下降した初期段階では、第４板部７４が、上型９０の第１脚部形成部９２と第２脚部形成部９３によって下側へ押圧され、且つ、第４板部７４が上下に長い楕円状に変形され、且つ、第４板部７４の先端部７４ｂが、第３板部７３の途中部に当接される。
【００２９】
次いで、上型９０がさらに下降することにより、図６（ｃ）に示すように、第４板部７４に、第１脚部５３に近似した形状の第１直線状部７４ｃと、第２脚部５４に近似した形状の第２直線状部７４ｄと、第１直線状部７４ｃと第２直線状部７４ｄとの間の湾曲凸部形状の頂部７４ｅと、先端部７４ｂを支点として第１直線状部に対して折り曲げられた折り曲げ状部７４ｆとが形成される。
【００３０】
次いで、図６（ｄ）及び図５（ｂ）に示すように、上型９０が型締め状態まで下降することにより、上底部５１と、下底部５２と、第１脚部５３と、第２脚部５４と、第１上側コーナー部５５と、第２上側コーナー部５６と、第１下側コーナー部５７と、第２下側コーナー部５８とが形成される。また、基端部７４ａに相当する巻回始端５０ｓから所定範囲の部分である重合外側部分ＯＬ１が、先端部７４ｂに相当する巻回終端５０ｅから所定範囲の部分である重合内側部分ＯＬ２の外側に重合されて重合領域ＯＬが形成される。
【００３１】
上型９０の上底部形成部９１が、かしめ工程の最終段階で上底部５１を形成するときに、上底部５１を介して、折り曲げ状部７４ｆに相当する重合内側部分ＯＬ２を重合外側部分ＯＬ１側へ強く押圧することができる。このため、重合領域ＯＬを高いかしめ荷重で強くかしめることが可能となる。
また、かしめ工程の最終段階で、第１上側コーナー部５５と第２上側コーナー部５６が形成されるため、かしめ工程の途中において、巻回終端５０ｅの巻き方向Ｒへの変位が阻害されることがない。このため、巻き方向Ｒに関して所要の長さの重合領域ＯＬを得ることができる。
【００３２】
また、かしめ時において、シールド電線２０の中心部材２４が、中心部材２４の周囲の複数の被覆電線２１が偏ったり、捩じれたりすることを抑制する機能を果たす。なお、図３及び図５（ｂ）では、中心部材２４の図示を省略してある。
本実施形態では、巻回始端５０ｓから巻回終端５０ｅまで所定の巻き方向Ｒに一回りを超えて巻回されたかしめ固定部５０が、重合領域ＯＬを形成する状態でシールド電線２０にかしめ固定される。重合領域ＯＬによって、かしめ固定部５０の開きが抑制されるため、かしめ保持力を高くすることができる。
【００３３】
また、被取付部６０が、巻回始端５０ｓと直接、接続されており、かしめ固定部５０と被取付部６０とは、シールド電線２０の長手方向Ｘに関する位置が重なっている。このため、シールド電線２０の長手方向Ｘに関して、保持金具３０の小型化を通じて、接続構造１０の小型化を達成することができる。
また、シールド電線２０の長手方向Ｘに沿って見て、かしめ固定部５０が、重合領域ＯＬに配置されたコーナー部である第１下側コーナー部５７を含む多角形形状に形成さている。重合領域ＯＬに配置された第１下側コーナー部５７では、重合内側部分ＯＬ２の開きが重合外側部分ＯＬ１によって抑制される。このため、かしめ保持力を向上することができる。
【００３４】
また、巻回始端５０ｓから巻回終端５０ｅまで一回りを超えて巻回されたかしめ固定部５０の重合領域ＯＬが、内側のスリーブ４０にかしめ固定されることで、三重に重合される。このため、スプリングバックによるかしめ固定部５０の開きを抑制して、かしめ保持力を高くすることができる。
また、外側のかしめ固定部５０と内側のスリーブ４０とが互いに相似の多角形形状を形成する状態で、外側のかしめ固定部５０の締付力と内側のスリーブ４０の反発力を拮抗させて、スプリングバックによる、かしめ固定部５０の開きを確実に抑制することができる。
【００３５】
また、かしめ固定部５０とスリーブ４０との対応するコーナー部どうし（第１上側コーナー部５５，４５。第２上側コーナー部５６，４６。第１下側コーナー部５７，４７。第２下側コーナー部５８，４８。）のかしめ固定によって、スプリングバックによる、かしめ固定部５０の開きを確実に抑制することができる。
特に、かしめ固定部５０の重合領域ＯＬの第１下側コーナー部５７が、スリーブ４０の第１下側コーナー部４７にかしめ固定されるので、スプリングバックによる、かしめ固定部５０の開きを確実に抑制することができる。
【００３６】
また、かしめ固定部５０が、巻回始端５０ｓから巻回終端５０ｅまで一回りを超えて巻回された状態で台形形状を形成しており、下底部５２と第１脚部５３との間の第１下側コーナー部５７に配置された巻回始端５０ｓから所定範囲の部分が重合外側部分ＯＬ１とされ、下底部５２の途中部５２Ｐに配置された巻回終端５０ｅから所定範囲の部分が重合内側部分ＯＬ２とされて、重合外側部分ＯＬ１と重合内側部分ＯＬ２とが互いに重合された重合領域ＯＬを形成している。このため、かしめ固定部５０のスプリングバックによって、第１脚部５３が、上端を中心として下端側を開こうとする開き力Ｆ（図３参照）が、第１下側コーナー部５７において、重合内側部分ＯＬ２を重合外側部分ＯＬ１に押圧干渉させる方向に働く。このため、かしめ保持力を高くすることができる。
（第２実施形態）
図７は、本発明の第２実施形態に係る、電線と保持金具との接続構造１０Ｐの概略平面図である。図７の第２実施形態が、図１（ｂ）の第１実施形態と異なるのは、接続構造１０Ｐでは、保持金具３０Ｐにおいて、被取付部６０が、かしめ固定部５０の巻回始端５０ｓに対して平板状の介在部６２を介して接続されていることである。介在部６２は、巻回始端５０ｓに沿ってシールド電線２０の長手方向Ｘに延びる接続縁６２ａを介して巻回始端５０ｓと接続されている。また、かしめ固定部５０の一部と被取付部６０の一部とは、シールド電線２０の長手方向Ｘの位置が重なっている。
【００３７】
介在部６２は、かしめ固定部５０の下底部５２（図７では示さず）に対して平行である。介在部６２と被取付部６０とは、面一に形成されている。矩形状をなす被取付部６０は、矩形状をなす介在部６２に対して階段状に接続されている。
本実施形態では、第１実施形態と同じく、重合領域ＯＬ（図７では示さず）が形成されたかしめ固定部５０の開きが抑制されることにより、かしめ保持力を向上することができる。また、かしめ固定部５０の一部と被取付部６０の一部とが、シールド電線２０の長手方向Ｘに位置を重ねて配置されるので、小型化を達成しつつ、取付対象に対する取付の自由度を向上することができる。
（第３実施形態）
図８は、本発明の第３実施形態に係る、電線と保持金具との接続構造１０Ｑの概略斜視図である。
【００３８】
図８の第３実施形態が、図１（ｂ）の第１実施形態と異なるのは、接続構造１０Ｑでは、保持金具３０Ｑにおいて、被取付部６０が、かしめ固定部５０の巻回始端５０ｓに対してアングル状の介在部６３を介して接続されていることである。
介在部６３は、平板状の第１板部６４と、平板状の第２板部６５とを含む。第１板部６４は、かしめ固定部５０の巻回始端５０ｓに沿ってシールド電線２０の長手方向Ｘに延びる第１接続縁６６を介して巻回始端５０ｓと接続されている。
【００３９】
図９は、保持金具３０Ｑの要部の別角度からの一部破断斜視図である。図８及び図９に示すように、第２板部６５は、第２接続縁６７を介して第１板部６４と交差状に接続されている。図９に示すように、第１板部６４と第２板部６５とが形成する交差角度である第１交差角度θ１は、例えば直角である。第１接続縁６６と第２接続縁６７とは、互いに平行である。
【００４０】
第２板部６５は、第３接続縁６８を介して被取付部６０と交差状に接続されている。第２接続縁６７と第３接続縁６８とは、互いに傾斜している。第３接続縁６８を介して第２板部６５と被取付部６０とが形成する交差角度である第２交差角度θ２は、鈍角とされている。
図８に示すように、被取付部６０は、シールド電線２０の長手方向Ｘに対して傾斜されている。また、かしめ固定部５０の一部と被取付部６０の一部とは、シールド電線２０の長手方向Ｘの位置が重なるように配置されている。
【００４１】
なお、各接続縁６６〜６８は、保持金具３０Ｑが板金材料で形成されるため、所定の曲げＲを有している。また、第１接続縁６６と第２接続縁６７とは、互いに傾斜していてもよい。また、第２接続縁６７と第３接続縁６８とは、互いに平行であってもよい。また、第１交差角度θ１は、鈍角や鋭角であってもよい。また、第２交差角度θ２は、直角や鋭角であってもよい。また、被取付部６０は、折り返し重合された重合板で形成されていてもよい。
【００４２】
本実施形態では、第１実施形態と同じく、重合領域ＯＬが形成されたかしめ固定部５０の開きが抑制されることにより、かしめ保持力を向上することができる。また、かしめ固定部５０の一部と被取付部６０の一部とが、シールド電線２０の長手方向Ｘに位置を重ねて配置されるので、小型化を達成しつつ、取付対象に対する取付の自由度を向上することができる。
【００４３】
特に、介在部６３が、巻回始端に沿う第１接続縁６６で巻回始端５０ｓと接続された第１板部６４と、第２接続縁６７を介して第１板部６４と交差状に接続され、第３接続縁６８を介して被取付部６０と交差状に接続された第２板部６５とを含む。このため、第１接続縁６６と第２接続縁６７との位置関係や、第２接続縁６７と第３接続縁６８との位置関係や、第１板部６４と第２板部６５との間の第１交差角度θ１や、第２板部６５と被取付部６０との間の第２交差角度θ２の設定により、取付対象に対して所要の取付位置や所要の取付角度を得ることができる。このため、小型化を達成しつつ、取付の自由度を向上することができる。
【００４４】
本発明は、各前記実施形態に限定されるものではなく、例えば、図示していないが、保持金具３０；３０Ｐ；３０Ｑのかしめ固定部５０が、シールド電線２０の長手方向Ｘの途中部にかしめ固定されるものであってもよい。
また、シールド電線２０の長手方向Ｘに沿って見た、かしめ固定部５０の形状は、台形形状以外の多角形形状であってもよい。
【００４５】
また、シールド電線２０において、中心部材２４に代えて被覆電線２１が配置されてもよい。
また、本発明を、電線として編組線を有しない通常の被覆電線に対して適用してもよい。その場合、スリーブ４０を用いなくてもよいし、用いてもよい。
その他、本発明は、特許請求の範囲記載の範囲内で種々の変更を施すことができる。
【符号の説明】
【００４６】
１０；１０Ｐ；１０Ｑ  電線と保持金具との接続構造
２０  シールド電線
３０；３０Ｐ；３０Ｑ  保持金具
５０  かしめ固定部
５０ｓ  巻回始端
５０ｅ  巻回終端
５７  第１下側コーナー部（重合領域内コーナー部）
６０  被取付部
６２  介在部
６３  介在部
６４  第１板部
６５  第２板部
６６  第１接続縁
６７  第２接続縁
６８  第３接続縁
ＯＬ  重合領域
ＯＬ１  重合外側部分
ＯＬ２  重合内側部分
Ｒ  巻き方向
Ｘ  長手方向
θ１  第１交差角度
θ２  第２交差角度
【図１】
2020021568.tif 000003
【図２】
2020021568.tif 000004
【図３】
2020021568.tif 000005
【図４】
2020021568.tif 000006
【図５】
2020021568.tif 000007
【図６】
2020021568.tif 000008
【図７】
2020021568.tif 000009
【図８】
2020021568.tif 000010
【図９】
2020021568.tif 000011